(57)【特許請求の範囲】
【請求項１】
本体内部に設置され調理物を入れる内鍋と、加熱コイル、スイッチング素子、及び共振コンデンサで構成され前記内鍋を誘導加熱するインバータ回路と、温度センサを有し前記内鍋の温度を入力する温度入力手段と、炊飯中の工程時間を計時する計時手段と、前記温度入力手段及び前記計時手段の出力により前記インバータ回路を制御して炊飯を行う炊飯制御手段と、炊飯動作が所定の時間内に前記内鍋の温度が所定の温度に到達しないことを検知して、前記内鍋に異物が付着していることを検知する異物検知手段と、前記異物検知手段が異物を検知し、前記炊飯制御手段が炊飯を停止した場合に、異常表示を行う異常表示手段と、商用電源の高電圧を検知し、前記インバータ回路をオフする高電圧検知手段と、前記高電圧検知手段が高電圧を検知した回数または累積時間を計時する第１の異常計時手段と、を備え、
前記第１の異常計時手段は、前記高電圧検知手段が高電圧を検知した回数または累積時間を計時する際に、炊飯中の状況に応じた所定の係数を乗じて計時するとともに、
前記第１の異常計時手段の出力が所定の値を超えた場合に、前記異常表示手段は、表示を切り換える炊飯器。
【請求項２】
前記第１の異常計時手段は、前記インバータ回路をオンすべきタイミングで前記商用電源の高電圧を検知した場合に、その回数またはその累積時間を計時する請求項１に記載の炊飯器。
【発明の詳細な説明】
【技術分野】
【０００１】
本発明は、一般家庭向けの炊飯器に関するものである。
【背景技術】
【０００２】
従来、この種の炊飯器としては、サーミスタ等の温度センサを備えた温度入力手段と、所定の時間内に所定の温度に到達しないと異物付着炊飯と判断する異物検知手段と、インバータを保護する高電圧検知手段と、高電圧を検知したことを記憶する記憶手段と、異物検知手段により、炊飯動作を途中で停止した場合に、記憶手段により、高電圧を検知していれば、高電圧異常表示を行い、高電圧を検知していなければ、異物異常表示を行う異常表示手段を有している（例えば、特許文献１参照）。
【０００３】
図７は、特許文献１に記載された従来の炊飯器のブロック図を示すものである。図７に示すように、サーミスタ等の温度センサを備えた温度入力手段７３と、所定の時間内に所定の温度に到達しないと異物付着炊飯と判断する異物検知手段７６と、インバータを保護する高電圧検知手段７８と、高電圧を検知したことを記憶する記憶手段７９と、異物検知手段７６により、炊飯動作を途中で停止した場合に、記憶手段７９により、高電圧を検知していれば、高電圧異常表示を行い、高電圧を検知していなければ、異物異常表示を行う異常表示手段７７を有している。
【先行技術文献】
【特許文献】
【０００４】
【特許文献１】特開２０００−４１８４５号公報
【発明の概要】
【発明が解決しようとする課題】
【０００５】
しかしながら、前記従来の構成では、高電圧検知手段による高電圧検知の有無によって異物異常表示を行うか、高電圧異常表示を行うようにしているので、炊飯に影響のほとんどないような一時的な高電圧検知によっても、高電圧異常表示を行うため、使用者に故障や誤使用の原因を正確に知らせて、適切な処置ができない場合があるという課題を有していた。
【０００６】
本発明は、前記従来の課題を解決するもので、使用者に故障や誤使用の原因をより正確に知らせて、より適切な処置ができるようにした炊飯器を提供することを目的とする。
【課題を解決するための手段】
【０００７】
前記従来の課題を解決するために、本発明の炊飯器は、本体内部に設置され調理物を入れる内鍋と、加熱コイル、スイッチング素子、及び共振コンデンサで構成され前記内鍋を誘導加熱するインバータ回路と、温度センサを有し前記内鍋の温度を入力する温度入力手段と、炊飯中の工程時間を計時する計時手段と、前記温度入力手段及び前記計時手段の出力により前記インバータ回路を制御して炊飯を行う炊飯制御手段と、炊飯動作が所定の時間内に前記内鍋の温度が所定の温度に到達しないことを検知して、前記内鍋に異物が付着していることを検知する異物検知手段と、前記異物検知手段が異物を検知し、前記炊飯制御手段が炊飯を停止した場合に、異常表示を行う異常表示手段と、商用電源の高電圧を検知し、前記インバータ回路をオフする高電圧検知手段と、前記高電圧検知手段が高電圧を検知した回数または累積時間を計時する第１の異常計時手段と、を備え、前記第１の異常計時手段は、前記高電圧検知手段が高電圧を検知した回数または累積時間を計時する際に、炊飯中の状況に応じた所定の係数を乗じて計時するとともに、前記第１の異常計時手段の出力が所定の値を超えた場合に、前記異常表示手段は、表示を切り換えるとしたものである。
【０００８】
これによって、炊飯に影響するほどの高電圧検知があった場合には、高電圧異常表示を行い、検知していなければ、異物異常表示を行うため、使用者に故障や誤使用の原因をより正確に知らせて、より適切な処置ができるようにした炊飯器を提供することができるようになる。また、炊飯に影響する度合いの小さいタイミングの場合は少ない回数や累積時間で、炊飯に影響する度合いの大きいタイミングの場合は、より多い回数や累積時間とすることで、炊飯に影響する回数や累積時間の高電圧検知があった場合には、高電圧異常表示を行い、ない場合には、異物異常表示を行うため、使用者に故障や誤使用の原因をより正確に知らせて、より適切な処置ができるようにすることができる。
【発明の効果】
【０００９】
本発明の炊飯器は、異物検知手段により、炊飯動作を途中で停止した場合に、炊飯に影響するほどの高電圧検知があった場合には、高電圧異常表示を行い、検知していなければ、異物異常表示を行うため、使用者に故障や誤使用の原因をより正確に知らせて、より適切な処置ができる。また、炊飯に影響する度合いの小さいタイミングの場合は少ない回数や累積時間で、炊飯に影響する度合いの大きいタイミングの場合は、より多い回数や累積時間とすることで、炊飯に影響する回数や累積時間の高電圧検知があった場合には、高電圧異常表示を行い、ない場合には、異物異常表示を行うため、使用者に故障や誤使用の原因をより正確に知らせて、より適切な処置ができるようにすることができる。
【図面の簡単な説明】
【００１０】
【図１】本発明の実施の形態１における炊飯器のブロック図
【図２】本発明の実施の形態１における炊飯器のフローチャート
【図３】本発明の実施の形態２における炊飯器のブロック図
【図４】本発明の実施の形態２における炊飯器のフローチャート
【図５】本発明の実施の形態３における炊飯器のブロック図
【図６】本発明の実施の形態３における炊飯器のフローチャート
【図７】従来の炊飯器のブロック図
【発明を実施するための形態】
【００１１】
第１の発明は本体内部に設置され調理物を入れる内鍋と、加熱コイル、スイッチング素子、及び共振コンデンサで構成され前記内鍋を誘導加熱するインバータ回路と、温度センサを有し前記内鍋の温度を入力する温度入力手段と、炊飯中の工程時間を計時する計時手段と、前記温度入力手段及び前記計時手段の出力により前記インバータ回路を制御して炊飯を行う炊飯制御手段と、炊飯動作が所定の時間内に前記内鍋の温度が所定の温度に到達しないことを検知して、前記内鍋に異物が付着していることを検知する異物検知手段と、前記異物検知手段が異物を検知し、前記炊飯制御手段が炊飯を停止した場合に、異常表示を行う異常表示手段と、商用電源の高電圧を検知し、前記インバータ回路をオフする高電圧検知手段と、前記高電圧検知手段が高電圧を検知した回数または累積時間を計時する第１の異常計時手段と、を備え、前記第１の異常計時手段は、前記高電圧検知手段が高電圧を検知した回数または累積時間を計時する際に、炊飯中の状況に応じた所定の係数を乗じて計時するとともに、前記第１の異常計時手段の出力が所定の値を超えた場合に、前記異常表示手段が表示を切り換えることにより、炊飯に影響するほどの回数や累積時間の高電圧検知があった場合には、高電圧異常表示を行い、なかった場合には、異物異常表示を行うため、使用者に故障や誤使用の原因をより正確に知らせて、より適切な処置ができるようにすることができる。また、炊飯に影響する度合いの小さいタイミングの場合は少ない回数や累積時間で、炊飯に影響する度合いの大きいタイミングの場合は、より多い回数や累積時間とすることで、炊飯に影響する回数や累積時間の高電圧検知があった場合には、高電圧異常表示を行い、ない場合には、異物異常表示を行うため、使用者に故障や誤使用の原因をより正確に知らせて、より適切な処置ができるようにすることができる。
【００１２】
第２の発明は、特に、第１の発明の前記第１の異常計時手段は、前記インバータ回路をオンすべきタイミングで商用電源の高電圧を検知した場合に、その回数またはその累積時
間を計時することにより、より炊飯に影響するタイミングで炊飯に影響するほどの回数や累積時間の高電圧検知があった場合には、高電圧異常表示を行い、なかった場合には、異物異常表示を行うため、使用者に故障や誤使用の原因をより正確に知らせて、より適切な処置ができるようにすることができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における炊飯器のブロック図を示すものである。
【００１５】
図１において、本体内部に設置されて調理物を入れる内鍋１１、内鍋１１を加熱するインバータ回路１２は、加熱コイル、ＩＧＢＴ等のスイッチング素子、共振コンデンサ等により構成される。温度入力手段１３は内鍋１の温度を測定するサーミスタ等の温度センサを有している。計時手段１４は炊飯の各工程時間を計時する。炊飯器制御手段１５は温度入力手段１３から出力される内鍋１１の温度と、計時手段１４から出力される時間を入力し、インバータ回路１２にインバータをオンまたはオフする信号を出力し、炊飯動作を制御する。異物検知手段１６は炊飯制御手段１５が炊飯を制御している時に、所定の時間内に所定の温度に到達しないことから、内鍋１１に米等の異物が付着し、サーミスタ等の温度センサが正常に入力できないことを検知し、炊飯制御手段１５に炊飯動作を停止させる。ＬＣＤ等の異常表示手段１７は異物検知手段１６が、内鍋１１に米等の異物が付着し、サーミスタ等の温度センサが入力できないことを検知して、炊飯を異常停止したことを使用者に知らせる。高電圧検知手段１８は商用電源の高電圧を検知してインバータ回路１２にインバータをオフする信号を出力し、インバータ回路１２を破壊等の故障から保護する。第１の異常計時手段１９は高電圧検知手段１８により、高電圧を検知した回数あるいは検知している累積時間を計時する。異常表示手段１７は、第１の異常計時手段１９の出力が、所定の値（例えば１０回）より大きい場合には、高電圧異常表示を行い、所定の値以下の場合には、異物異常表示を行う。
【００１６】
第１の実施の形態の異常表示の動作について、図２より説明する。ステップ２１で、前炊き工程を行う。ステップ２２で、炊き上げ工程を行う。ステップ２３で炊き上げ終了温度に到達するとステップ２４のむらし工程に移行する。ステップ２３で炊き上げ終了温度に到達しない場合、ステップ２５に移行する。ステップ２５で炊き上げ終了時間に達しない場合、ステップ２２に戻り、炊き上げ工程を継続する。ステップ２５で炊き上げ終了時間に到達した場合、ステップ２６に移行する。ステップ２６で高電圧検知をした回数が所定の値である本実施の形態の場合、１０回以下の場合、ステップ２７で異物検知表示を行い、ステップ２６で高電圧検知した回数が所定の値である１０回より大きい場合ステップ２８で高電圧異常表示を行う。
【００１７】
以上のように本実施の形態において、炊飯中に所定の回数を超えて商用電源の高電圧を検知した場合にのみ、高電圧異常表示を行うようにしたことにより、炊飯中に所定の回数を超えて商用電源の高電圧を検知したために、誤って異物付着を検知し、炊飯動作を異常終了した場合にも、所定の回数を超えて高電圧検知により、炊飯途中にインバータがオフしたことを使用者に知らせることができるとともに、１，２回程度の炊飯に影響がないレベルでの高電圧検知の場合には、高電圧異常表示を行わないことができるため、故障や誤使用に対し適切な処置ができる炊飯器を供給することが実現できることである。
【００１８】
なお、本実施の形態では、所定の回数を１０回としたが、これに限定されるものではなく、炊飯に影響のあるレベル以上または明らかに電源の異常と思われるレベル以上であればよく、回数だけでなく累積時間でもよいことは明らかであり、また、同じ回数でも炊飯時間が短い場合は、その影響度は大きくなるので、より小さい値としてもよく、メニューや炊飯量や炊飯時間に応じて変えるようにしてもよいことは明らかである。
【００１９】
（実施の形態２）
図３は、本発明の第２の実施の形態における炊飯器のブロック図を示すものである。
図３において、第２の異常計時手段３９はインバータをオンすべきタイミングで、高電圧検知手段により、高電圧を検知し、インバータを停止した回数あるいは、検知している累積時間を計時する。異常表示手段３７は、第２の異常計時手段３９の出力が、所定の値（例えば１０回）より大きい場合には、高電圧異常表示を行い、所定の値以下の場合には、
異物異常表示を行う。その他図１と同じ番号を付したものは同じであるため詳細な説明は省略する。
【００２０】
第２の実施の形態の異常表示の動作について、図４より説明する。ステップ４１で、前炊き工程を行う。ステップ４２で、炊き上げ工程を行う。ステップ４３で炊き上げ終了温度に到達するとステップ４４のむらし工程に移行する。ステップ４３で炊き上げ終了温度に到達しない場合、ステップ４５に移行する。ステップ４５で炊き上げ終了時間に達しない場合、ステップ４２に戻り、炊き上げ工程を継続する。ステップ４５で炊き上げ終了時間に到達した場合、ステップ４６に移行する。ステップ４６でインバータをオンすべきタイミングで高電圧検知をしてインバータをオフした回数が所定の値である本実施の形態の場合、１０回以下の場合、ステップ４７で異物検知表示を行い、ステップ４６でインバータをオンすべきタイミングで高電圧検知をしてインバータをオフした回数が所定の値である１０回より大きい場合ステップ４８で高電圧異常表示を行う。
【００２１】
以上のように本実施の形態において、炊飯中にインバータをオンすべきタイミングで所定の回数を超えて商用電源の高電圧を検知した場合にのみ、高電圧異常表示を行うようにしたことにより、炊飯中にインバータをオンすべきタイミングで所定の回数を超えて商用電源の高電圧を検知してインバータがオフしたために、誤って異物付着を検知し、炊飯動作を異常終了した場合にも、インバータをオンすべきタイミングで所定の回数を超えて高電圧検知により、炊飯途中にインバータがオフしたことを使用者に知らせることができるとともに、元々インバータがオフするタイミングでの高電圧検知の場合や、１，２回程度の炊飯に影響がないレベルでの高電圧検知の場合には、高電圧異常表示を行わないことができるため、故障や誤使用に対し適切な処置ができる炊飯器を供給することが実現できることである。
【００２２】
なお、本実施の形態では、所定の回数を１０回としたが、これに限定されるものではなく、炊飯に影響のあるレベル以上または明らかに電源の異常と思われるレベル以上であればよく、回数だけでなく累積時間でもよいことは明らかであり、また、同じ回数でも炊飯時間が短い場合は、その影響度は大きくなるので、より小さい値としてもよく、メニューや炊飯量や炊飯時間に応じて変えるようにしてもよいことは明らかである。
【００２３】
（実施の形態３）
図５は、本発明の第３の実施の形態における炊飯器のブロック図を示すものである。
【００２４】
図５において、第３の異常計時手段５９は高電圧検知手段により、高電圧を検知し、インバータを停止した回数あるいは、検知している累積時間を、炊飯中の状況に応じた所定の係数を乗じて、例えば炊き上げ中は前炊き中の１０倍として計時する。異常表示手段５７は、第３の異常計時手段５９の出力が、所定の値（例えば１００回）より大きい場合には、高電圧異常表示を行い、所定の値以下の場合には、異物異常表示を行う。その他図１と同じ番号を付したものは同じであるため詳細な説明は省略する。
【００２５】
第３の実施の形態の異常表示の動作について、図６より説明する。ステップ６１で、前炊き工程を行う。ステップ６２で、炊き上げ工程を行う。ステップ６３で炊き上げ終了温度に到達するとステップ６４のむらし工程に移行する。ステップ６３で炊き上げ終了温度に到達しない場合、ステップ６５に移行する。ステップ６５で炊き上げ終了時間に達しない場合、ステップ６２に戻り、炊き上げ工程を継続する。ステップ６５で炊き上げ終了時間に到達した場合、ステップ６６に移行する。ステップ６６で炊き上げ中に高電圧検知をしてインバータをオフした回数の１０倍とそれ以外で高電圧検知をしてインバータオフした回数の合計が所定の値である本実施の形態の場合、１００回以下の場合、ステップ６７で異物検知表示を行い、１００回より大きい場合ステップ６８で高電圧異常表示を行う。
【００２６】
以上のように本実施の形態において、商用電源の高電圧を検知した回数を、炊飯中の状況に応じた所定の係数を乗じて累積で計時し、この値が所定の回数を超えた場合にのみ、高電圧異常表示を行うようにしたことにより、炊飯中に商用電源の高電圧を検知してインバータがオフしたために、誤って異物付着を検知し、炊飯動作を異常終了した場合にも、より影響の大きいタイミングでの高電圧検知により、炊飯途中にインバータがオフしたことを使用者に知らせることができるとともに、比較的影響の少ないタイミングでの検知や１，２回程度の炊飯に影響がないレベルでの高電圧検知の場合には、高電圧異常表示を行わないことができるため、故障や誤使用に対し適切な処置ができる炊飯器を供給することが実現できることである。
【００２７】
なお、本実施の形態では、所定の回数を１００回としたが、これに限定されるものではなく、炊飯に影響のあるレベル以上または明らかに電源の異常と思われるレベル以上であればよく、回数だけでなく累積時間でもよいことは明らかであり、また、同じ回数でも炊飯時間が短い場合は、その影響度は大きくなるので、より小さい値としてもよく、メニューや炊飯量や炊飯時間に応じて変えるようにしてもよいことは明らかである。
【００２８】
また、本実施の形態では、炊き上げ中に高電圧検知をしてインバータをオフした回数の１０倍と計時するようにしたが、これに限定されるものではなく、炊飯への影響度合いによって設定されていればよく、例えば前炊き中は０倍として、特定の条件では全く計時しないというようにしてもよく、各工程も細分化して、例えば前半と中盤と後半で別の値としたり、鍋内の温度が１００℃未満と１００℃以上で別の値というように各種の条件に応じて別の値にしてもよく、これらをくみあわせてもよいのは明らかである。
【産業上の利用可能性】
【００２９】
以上のように、本発明にかかる炊飯器は、異物検知手段により、炊飯動作を途中で停止した場合に、炊飯に影響するほどの高電圧検知があった場合には、高電圧異常表示を行い、検知していなければ、異物異常表示を行うため、使用者に故障や誤使用の原因をより正確に知らせて、より適切な処置ができるので、家庭用のみならず業務用の炊飯器でも応用可能である。
【符号の説明】
【００３０】
１１  内鍋
１２  インバータ回路
１３  温度入力手段
１４  計時手段
１５  炊飯制御手段
１６  異物検知手段
１７  異常表示手段
１８  高電圧検知手段
１９  第１の異常計時手段
【図１】
0005899405.tif 000002
【図２】
0005899405.tif 000003
【図３】
0005899405.tif 000004
【図４】
0005899405.tif 000005
【図５】
0005899405.tif 000006
【図６】
0005899405.tif 000007
【図７】
0005899405.tif 000008